(57)【要約】【課題】レジスト膜を適切にパターニングする。【解決手段】基板１０ＭＧ上にレジスト膜１８，１９を塗布する塗布工程と、塗布工程にて塗布されたレジスト膜１８，１９を選択的に露光する露光工程と、露光工程にて選択的に露光されたレジスト膜１８，１９を現像する現像工程であって、塗布工程が行われてから当該現像工程に移行するまでの移行時間に基づいて現像に係る処理時間を調整する現像工程と、を備える。【選択図】図１０
2020021940.tif 000002
【特許請求の範囲】
【請求項１】
基板上にレジスト膜を塗布する塗布工程と、
前記塗布工程にて塗布された前記レジスト膜を選択的に露光する露光工程と、
前記露光工程にて選択的に露光された前記レジスト膜を現像する現像工程であって、前記塗布工程が行われてから当該現像工程に移行するまでの移行時間に基づいて現像に係る処理時間を調整する現像工程と、を備えるレジスト膜形成基板の製造方法。
【請求項２】
前記現像工程では、前記移行時間に加えて前記レジスト膜の材料を加味して前記処理時間を調整する請求項１記載のレジスト膜形成基板の製造方法。
【請求項３】
前記現像工程では、前記移行時間に加えて前記レジスト膜の膜厚を加味して前記処理時間を調整する請求項１または請求項２記載のレジスト膜形成基板の製造方法。
【請求項４】
前記現像工程では、前記移行時間に加えて前記露光工程での前記レジスト膜の露光範囲または非露光範囲を加味して前記処理時間を調整する請求項１または請求項２記載のレジスト膜形成基板の製造方法。
【請求項５】
前記現像工程では、前記基板を搬送しつつ前記基板上に現像液を供給するようにしていて、前記基板の搬送速度を制御することで前記処理時間を調整する請求項１または請求項２記載のレジスト膜形成基板の製造方法。
【請求項６】
前記塗布工程では、前記レジスト膜としてカラーレジスト膜または遮光レジスト膜を塗布する請求項１または請求項２記載のレジスト膜形成基板の製造方法。
【請求項７】
基板上にレジスト膜を塗布する塗布装置と、
前記レジスト膜を選択的に露光する露光装置と、
前記レジスト膜を現像する現像装置と、
前記塗布装置による前記レジスト膜の塗布が完了した塗布完了時刻を少なくとも記憶する記憶装置と、
前記記憶装置に記憶されている前記塗布完了時刻を読み出すことで前記塗布装置による前記レジスト膜の塗布が行われてから前記現像装置による現像に移行するまでの移行時間を抽出し、抽出した前記移行時間に基づいて前記現像装置による現像に係る処理時間を抽出する処理を行う抽出処理装置と、
前記抽出処理装置により抽出された前記処理時間に基づいて前記現像装置による現像を制御する現像制御装置と、
少なくとも前記塗布装置、前記抽出処理装置及び前記現像制御装置を前記記憶装置に対して情報通信が可能な状態に接続する情報通信回線と、を備えるレジスト膜形成基板の製造に係る工程管理システム。
【請求項８】
前記抽出処理装置は、少なくとも前記移行時間と前記処理時間との関係を記したデータテーブルを記憶するデータテーブル記憶部を有していて、前記記憶装置から前記塗布完了時刻を読み出すことで抽出した前記移行時間に基づいて前記データテーブル記憶部に記憶された前記データテーブルから前記処理時間を抽出する請求項７記載のレジスト膜形成基板の製造に係る工程管理システム。
【請求項９】
前記情報通信回線は、前記現像制御装置を前記抽出処理装置に対して情報通信が可能な状態に接続する請求項７または請求項８記載のレジスト膜形成基板の製造に係る工程管理システム。
【請求項１０】
前記現像装置は、前記基板を搬送する基板搬送部と、前記基板搬送部により搬送される前記基板に現像液を供給する現像液供給部と、を少なくとも有しており、
前記現像制御装置は、前記基板搬送部による前記基板の搬送速度を制御することで前記処理時間を調整する請求項７または請求項８記載のレジスト膜形成基板の製造に係る工程管理システム。
【発明の詳細な説明】
【技術分野】
【０００１】
本発明は、レジスト膜形成基板の製造方法及びレジスト膜形成基板の製造に係る工程管理システムに関する。
【背景技術】
【０００２】
従来、半導体ウエハやＬＣＤ基板（液晶ディスプレイ用ガラス基板）などの基板に対してレジスト液の塗布処理及び露光後の現像処理を行う塗布、現像装置の一例として下記特許文献１に記載されたものが知られている。この特許文献１に記載された塗布、現像装置は、滞在時間の計算の対象となっている基板よりも前の基板群について、露光装置内に搬入出の各時点から計算された露光装置内の滞在時間ｔ３に基づいて、ｔ１：待機時間計算の対象となる基板が待機モジュールから搬出できる状態になった時点から、当該基板に使用される加熱モジュールが当該基板の加熱処理のために準備が整う時点までの時間と、ｔ２：前記タイミングの計算の対象となる基板が待機モジュールから搬出された時点から当該基板に使用される加熱モジュールに到達するまでの時点までの時間と、を計算し、ｔ１−ｔ２によりその待機モジュールでの待機時間の計算を行う。
【先行技術文献】
【特許文献】
【０００３】
【特許文献１】特開２００９−４３９２７号公報
【発明の概要】
【発明が解決しようとする課題】
【０００４】
上記した特許文献１に記載された塗布、現像装置によれば、露光後の基板を加熱する加熱モジュールが加熱処理のために準備が整う時点に合せて、待機モジュールから効率よく露光前の基板を払い出し、待機モジュールで余計に基板が待機することを抑えることができる。
【０００５】
ところで、基板に対してレジスト液の塗布を行ってから現像に移行するまでの移行時間は、製造上の諸事情に起因してばらつく場合がある。そのような場合でも、従来の現像装置では、基板に対して現像を行う処理時間が一定とされるのが一般的であるため、上記した移行時間に変動が生じることに起因して現像されたレジスト膜のパターンの仕上がりにムラが生じるおそれがあった。
【０００６】
本発明は上記のような事情に基づいて完成されたものであって、レジスト膜を適切にパターニングすることを目的とする。
【課題を解決するための手段】
【０００７】
（１）本発明の一実施形態は、基板上にレジスト膜を塗布する塗布工程と、前記塗布工程にて塗布された前記レジスト膜を選択的に露光する露光工程と、前記露光工程にて選択的に露光された前記レジスト膜を現像する現像工程であって、前記塗布工程が行われてから当該現像工程に移行するまでの移行時間に基づいて現像に係る処理時間を調整する現像工程と、を備えるレジスト膜形成基板の製造方法である。
【０００８】
（２）また、本発明のある実施形態は、上記（１）の構成に加え、前記現像工程では、前記移行時間に加えて前記レジスト膜の材料を加味して前記処理時間を調整するレジスト膜形成基板の製造方法である。
【０００９】
（３）また、本発明のある実施形態は、上記（１）または、上記（２）の構成に加え、前記現像工程では、前記移行時間に加えて前記レジスト膜の膜厚を加味して前記処理時間を調整するレジスト膜形成基板の製造方法である。
【００１０】
（４）また、本発明のある実施形態は、上記（１）から上記（３）のいずれか１つの構成に加え、前記現像工程では、前記移行時間に加えて前記露光工程での前記レジスト膜の露光範囲または非露光範囲を加味して前記処理時間を調整するレジスト膜形成基板の製造方法である。
【００１１】
（５）また、本発明のある実施形態は、上記（１）から上記（４）のいずれか１つの構成に加え、前記現像工程では、前記基板を搬送しつつ前記基板上に現像液を供給するようにしていて、前記基板の搬送速度を制御することで前記処理時間を調整するレジスト膜形成基板の製造方法である。
【００１２】
（６）また、本発明のある実施形態は、上記（１）から上記（５）のいずれか１つの構成に加え、前記塗布工程では、前記レジスト膜としてカラーレジスト膜または遮光レジスト膜を塗布するレジスト膜形成基板の製造方法である。
【００１３】
（７）本発明の一実施形態は、基板上にレジスト膜を塗布する塗布装置と、前記レジスト膜を選択的に露光する露光装置と、前記レジスト膜を現像する現像装置と、前記塗布装置による前記レジスト膜の塗布が完了した塗布完了時刻を少なくとも記憶する記憶装置と、前記記憶装置に記憶されている前記塗布完了時刻を読み出すことで前記塗布装置による前記レジスト膜の塗布が行われてから前記現像装置による現像に移行するまでの移行時間を抽出し、抽出した前記移行時間に基づいて前記現像装置による現像に係る処理時間を抽出する処理を行う抽出処理装置と、前記抽出処理装置により抽出された前記処理時間に基づいて前記現像装置による現像を制御する現像制御装置と、少なくとも前記塗布装置、前記抽出処理装置及び前記現像制御装置を前記記憶装置に対して情報通信が可能な状態に接続する情報通信回線と、を備えるレジスト膜形成基板の製造に係る工程管理システムである。
【００１４】
（８）また、本発明のある実施形態は、上記（７）の構成に加え、前記抽出処理装置は、少なくとも前記移行時間と前記処理時間との関係を記したデータテーブルを記憶するデータテーブル記憶部を有していて、前記記憶装置から前記塗布完了時刻を読み出すことで抽出した前記移行時間に基づいて前記データテーブル記憶部に記憶された前記データテーブルから前記処理時間を抽出するレジスト膜形成基板の製造に係る工程管理システムである。
【００１５】
（９）また、本発明のある実施形態は、上記（７）または上記（８）のいずれか１つの構成に加え、前記情報通信回線は、前記現像制御装置を前記抽出処理装置に対して情報通信が可能な状態に接続するレジスト膜形成基板の製造に係る工程管理システムである。
【００１６】
（１０）また、本発明のある実施形態は、上記（７）から上記（９）のいずれか１つの構成に加え、前記現像装置は、前記基板を搬送する基板搬送部と、前記基板搬送部により搬送される前記基板に現像液を供給する現像液供給部と、を少なくとも有しており、前記現像制御装置は、前記基板搬送部による前記基板の搬送速度を制御することで前記処理時間を調整するレジスト膜形成基板の製造に係る工程管理システムである。
【発明の効果】
【００１７】
本発明によれば、レジスト膜を適切にパターニングすることができる。
【図面の簡単な説明】
【００１８】
【図１】本発明の一実施形態に係る液晶パネルの概略を表す断面図
【図２】液晶パネルを構成するＣＦ基板の画素配列を示す平面図
【図３】遮光部形成工程に含まれる塗布工程にてマザーガラス基板上に遮光レジスト膜を塗布した状態を示す断面図
【図４】遮光部形成工程に含まれる露光工程にてフォトマスクを介して遮光レジスト膜を露光した状態を示す断面図
【図５】遮光部形成工程に含まれる現像工程にて遮光レジスト膜を現像した状態を示す断面図
【図６】カラーフィルタ形成工程に含まれる塗布工程にてマザーガラス基板上にカラーレジスト膜を塗布した状態を示す断面図
【図７】カラーフィルタ形成工程に含まれる露光工程にてフォトマスクを介してカラーレジスト膜を露光した状態を示す断面図
【図８】カラーフィルタ形成工程に含まれる現像工程にてカラーレジスト膜を現像した状態を示す断面図
【図９】現像装置の概略を表す断面図
【図１０】ＣＦ基板の製造に係る工程管理システムのブロック図
【図１１】塗布工程が行われてから現像工程に移行するまでの移行時間と、現像に必要となる処理時間と、の関係を表すグラフ
【図１２】現像に係る処理時間をある標準処理時間に固定化した場合における移行時間と、現像工程後に得られるレジスト膜のパターンに係る線幅と、の関係を表すグラフ
【図１３】現像に係る処理時間を、実際の移行時間に応じて変化させた場合における移行時間と、現像工程後に得られるレジスト膜のパターンに係る線幅と、の関係を表すグラフ
【図１４】レジスト膜の塗布が行われてから現像に移行するまでの移行時間とマザーガラス基板の搬送速度との関係を表したデータテーブルを示す図
【発明を実施するための形態】
【００１９】
＜実施形態＞
本発明の一実施形態を図１から図１４によって説明する。本実施形態では、液晶パネル１０を構成するＣＦ基板（レジスト膜形成基板）１０Ａの製造方法及びＣＦ基板１０Ａの製造に係る工程管理システムＭＳについて例示する。なお、各図面の一部にはＸ軸、Ｙ軸及びＺ軸を示しており、各軸方向が各図面で示した方向となるように描かれている。また、図１などに示す上側を表側とし、同図下側を裏側とする。
【００２０】
図１は、液晶パネル１０の断面図である。液晶パネル１０は、図１に示すように、一対の基板１０Ａ，１０Ｂ間に、電界印加に伴って光学特性が変化する物質である液晶材料を含む液晶層１０Ｃを封入してなる。液晶パネル１０を構成する両基板１０Ａ，１０Ｂのうち、表側に配されるものがＣＦ基板１０Ａとされ、裏側に配されるものがアレイ基板１０Ｂとされる。ＣＦ基板１０Ａは、対向基板とも呼ばれ、アレイ基板１０Ｂは、アクティブマトリクス基板やＴＦＴ基板とも呼ばれる。ＣＦ基板１０Ａ及びアレイ基板１０Ｂは、いずれもほぼ透明で優れた透光性を有するガラス基板１０ＧＳの内面側に所定の膜、すなわち構造物を既知のフォトリソグラフィ法により順次に積層形成してなるものとされる。なお、両基板１０Ａ，１０Ｂの外側の板面には、表裏一対の偏光板１１がそれぞれ貼り付けられている。
【００２１】
アレイ基板１０Ｂの内側、つまり液晶層１０Ｃ側の板面には、図１に示すように、スイッチング素子であるＴＦＴ（Thin Film Transistor）１２及び画素電極１３が多数個ずつマトリクス状に並んで設けられている。これらＴＦＴ１２及び画素電極１３の周りには、格子状をなしていて金属膜からなるゲート配線及びソース配線（いずれも図示せず）が配設されている。ゲート配線及びソース配線は、ＴＦＴ１２に接続されている。画素電極１３は、例えばＩＴＯ（Indium Tin Oxide）などの透明電極材料からなり、ゲート配線及びソース配線に供給される各信号に基づいて駆動されるＴＦＴ１２によって所定の電位に充電されるようになっている。また、アレイ基板１０Ｂの内面側には、各種絶縁膜などが設けられている。
【００２２】
ＣＦ基板１０Ａの構成について図１に加えて図２を参照しつつ説明する。図２は、ＣＦ基板１０Ａの画素配列を示す平面図である。ＣＦ基板１０Ａの内側の板面には、図１及び図２に示すように、赤色（Ｒ），緑色（Ｇ），青色（Ｂ）を呈する３色のカラーフィルタ１４と、光を遮る遮光部１５と、が設けられている。カラーフィルタ１４は、アレイ基板１０Ｂ側の各画素電極１３と対向状をなす位置に多数個がマトリクス状に並んで設けられている。各色のカラーフィルタ１４は、各色に係る特定の波長範囲の光を選択的に透過する。つまり、赤色を呈する赤色カラーフィルタ１４Ｒは、赤色の波長領域の光を、緑色を呈する緑色カラーフィルタ１４Ｇは、緑色の波長領域の光を、青色を呈する青色カラーフィルタ１４Ｂは、青色の波長領域の光を、それぞれ選択的に透過する。これら３色のカラーフィルタ１４Ｒ，１４Ｇ，１４Ｂは、対向する画素電極１３と共に３色の画素を構成している。遮光部１５は、隣り合うカラーフィルタ１４（画素）の間を仕切るよう配されていて、隣り合うカラーフィルタ１４の間で行き交おうとする光を遮るものである。遮光部１５は、アレイ基板１０Ｂ側のゲート配線及びソース配線と平面に視て重畳する配置とされる。
【００２３】
カラーフィルタ１４の上層側には、図１に示すように、対向電極１６が内側に重なって設けられている。対向電極１６は、ＣＦ基板１０Ａの内面におけるほぼ全域にわたってベタ状に形成されている。対向電極１６は、画素電極１３と同様の透明電極材料からなり、常に一定の基準電位に保たれている。従って、各ＴＦＴ１２が駆動されるのに伴って各ＴＦＴ１２に接続された各画素電極１３が充電されると、各画素電極１３との間には電位差が生じ得る。そして、対向電極１６と各画素電極１３との間に生じる電位差に基づいて液晶層１０Ｃに含まれる液晶分子の配向状態が変化し、それに伴って透過光の偏光状態が変化し、もって液晶パネル１０の透過光量が各画素毎に個別に制御されるとともに所定のカラー画像が表示されるようになっている。なお、両基板１０Ａ，１０Ｂにおける最内面には、液晶層１０Ｃに臨む形で配されて液晶分子を配向させる配向膜１７がそれぞれ設けられている。
【００２４】
上記のような構成の各基板１０Ａ，１０Ｂは、既知のフォトリソグラフィ法を用いてガラス基板１０ＧＳのうちの内側の板面上に各種構造物を構成する各種膜が繰り返し形成されることで製造されている。そして、本実施形態では、複数のガラス基板１０ＧＳが板面内に並んで配されてなるマザーガラス基板１０ＭＧに対してフォトリソグラフィ法に係る各種処理がなされている（図３などを参照）。なお、ガラス基板１０ＧＳは、個別の液晶パネル１０を構成する「単位基板」であると言え、マザーガラス基板１０ＭＧは、複数の単位基板を含む「基板」である。
【００２５】
続いて、特にＣＦ基板１０Ａの製造方法について詳しく説明する。ＣＦ基板１０Ａは、マザーガラス基板１０ＭＧ上に遮光部１５を形成する遮光部形成工程と、３色のカラーフィルタ１４Ｒ，１４Ｇ，１４Ｂを順次に形成するカラーフィルタ形成工程と、対向電極１６を形成する対向電極形成工程と、配向膜１７を形成する配向膜形成工程と、を経て製造される。このうちの遮光部形成工程及びカラーフィルタ形成工程では、遮光部１５やカラーフィルタ１４の材料としていずれもネガ型の感光性材料を用いている。詳しくは、遮光部形成工程及びカラーフィルタ形成工程には、マザーガラス基板１０ＭＧ上にネガ型の感光性材料からなるレジスト膜（フォトレジスト膜）１８，１９を塗布する塗布工程と、レジスト膜１８，１９を選択的に露光する露光工程と、レジスト膜１８，１９を現像する現像工程と、がそれぞれ含まれている。
【００２６】
遮光部形成工程について図３から図５を参照しつつ説明する。図３から図５は、遮光部形成工程にて遮光レジスト膜（レジスト膜）１８をパターニングする手順を表す断面図である。遮光部形成工程に含まれる塗布工程では、図３に示すように、ネガ型の感光性遮光材料からなる遮光レジスト膜１８が、インクジェット装置などの塗布装置２０（図１０を参照）によってマザーガラス基板１０ＭＧ上に塗布される。このとき塗布される遮光レジスト膜１８は、マザーガラス基板１０ＭＧの板面においてほぼ均一な膜厚でもってベタ状に成膜されている。遮光部形成工程に含まれる露光工程では、図４に示すように、マザーガラス基板１０ＭＧ上に塗布された遮光レジスト膜１８が、露光装置２１（図１０を参照）によって選択的に露光される。この露光装置２１には、遮光レジスト膜１８に対する露光範囲を制御するためのフォトマスクＭ１が備えられている。フォトマスクＭ１は、透明なガラス基材Ｍ１Ａと、ガラス基材Ｍ１Ａの板面に形成されて光源からの露光光を遮光する遮光膜Ｍ１Ｂと、からなる。この遮光膜Ｍ１Ｂには、光を透過する開口部Ｍ１Ｃが開口形成されている。遮光レジスト膜１８は、フォトマスクＭ１における遮光膜Ｍ１Ｂと重畳する範囲が非露光箇所となり、開口部Ｍ１Ｃと重畳する範囲が露光箇所となる。遮光部形成工程に含まれる現像工程では、図５に示すように、選択的に露光された遮光レジスト膜１８が、現像装置２２（図９及び図１０を参照）によって現像される。本実施形態では、ネガ型の感光性遮光材料が遮光レジスト膜１８に用いられているので、上記した現像工程を経ると、遮光レジスト膜１８は、非露光箇所がマザーガラス基板１０ＭＧ上から除去され、露光箇所がマザーガラス基板１０ＭＧ上に残存する。遮光レジスト膜１８の残存部分が所定のパターンの遮光部１５となる。
【００２７】
カラーフィルタ形成工程について図６から図８を参照しつつ説明する。図６から図８は、カラーフィルタ形成工程にてカラーレジスト膜（レジスト膜）１９をパターニングする手順を表す断面図である。なお、図６から図８では、カラーフィルタ１４の一例として赤色カラーフィルタ１４Ｒの場合を例示しているが、緑色カラーフィルタ１４Ｇ及び青色カラーフィルタ１４Ｂについても同様である。カラーフィルタ形成工程に含まれる塗布工程では、図６に示すように、ネガ型の感光性着色材料からなるカラーレジスト膜１９を、遮光部形成工程の場合と同様のインクジェット装置などの塗布装置２０を用いてマザーガラス基板１０ＭＧ上に塗布する。なお、カラーレジスト膜１９の感光性着色材料は、各色のカラーフィルタ１４Ｒ，１４Ｇ，１４Ｂ毎に異なる色を呈する顔料を含有している。このとき塗布されるカラーレジスト膜１９は、マザーガラス基板１０ＭＧの板面においてほぼ均一な膜厚でもってベタ状に成膜されている。カラーフィルタ形成工程に含まれる露光工程では、図７に示すように、マザーガラス基板１０ＭＧ上に塗布されたカラーレジスト膜１９を、遮光部形成工程の場合と同様の露光装置２１を用いて選択的に露光する。この露光装置２１には、カラーレジスト膜１９に対する露光範囲を制御するためのフォトマスクＭ２が備えられている。フォトマスクＭ２は、透明なガラス基材Ｍ２Ａと、ガラス基材Ｍ２Ａの板面に形成されて光源からの露光光を遮光する遮光膜Ｍ２Ｂと、からなる。この遮光膜Ｍ２Ｂには、光を透過する開口部Ｍ２Ｃが開口形成されている。カラーレジスト膜１９は、フォトマスクＭ２における遮光膜Ｍ２Ｂと重畳する範囲が非露光箇所となり、開口部Ｍ２Ｃと重畳する範囲が露光箇所となる。カラーフィルタ形成工程に含まれる現像工程では、図８に示すように、選択的に露光されたカラーレジスト膜１９を、遮光部形成工程の場合と同様の現像装置２２を用いて現像する。本実施形態では、ネガ型の感光性着色材料がカラーレジスト膜１９に用いられているので、上記した現像工程を経ると、カラーレジスト膜１９は、非露光箇所がマザーガラス基板１０ＭＧ上から除去され、露光箇所がマザーガラス基板１０ＭＧ上に残存する。カラーレジスト膜１９の残存部分が所定のパターンのカラーフィルタ１４となる。なお、本実施形態では、塗布装置２０、露光装置２１及び現像装置２２に係る符号については、説明の便宜上、遮光部形成工程及びカラーフィルタ形成工程で用いられるものの間で共通化している。
【００２８】
次に、現像装置２２について図９を用いて詳しく説明する。図９は、現像装置２２の概略的な断面図である。現像装置２２は、図９に示すように、現像処理を行う現像処理槽２２Ａと、現像処理槽２２Ａ内においてマザーガラス基板１０ＭＧを搬送する基板搬送部２２Ｂと、基板搬送部２２Ｂにより搬送されるマザーガラス基板１０ＭＧ上に現像液を供給する現像液供給部２２Ｃと、を少なくとも備える。現像処理槽２２Ａのうちのマザーガラス基板１０ＭＧの搬送方向（図９の左右方向）についての前後の両壁部には、マザーガラス基板１０ＭＧを搬入出するための搬入口２２Ａ１及び搬出口２２Ａ２が開口形成されている。基板搬送部２２Ｂは、マザーガラス基板１０ＭＧをそのレジスト膜１８，１９の形成面が鉛直方向の上向きとなり且つ水平方向に並行する姿勢に保ちつつ搬送する複数の搬送ローラ２２Ｂ１を有する。複数の搬送ローラ２２Ｂ１は、マザーガラス基板１０ＭＧの搬送方向について前後に間隔を空けて複数が並んで配されていて自転可能とされる。各搬送ローラ２２Ｂ１は、図示しない動力源（モータなど）から付与される回転力によって所定の単位時間当たりの回転数でもって回転される。現像液供給部２２Ｃは、基板搬送部２２Ｂに対してマザーガラス基板１０ＭＧを挟んで鉛直方向の上側に配されている。現像液供給部２２Ｃは、マザーガラス基板１０ＭＧの搬送方向について前後に間隔を空けて複数が並んで配されていてそれぞれが現像液をマザーガラス基板１０ＭＧにおけるレジスト膜１８，１９の形成面上に吐出可能とされる。この現像装置２２では、基板搬送部２２Ｂによりマザーガラス基板１０ＭＧを所定の搬送速度でもって搬送しつつ現像液供給部２２Ｃから吐出される現像液により現像処理がなされる。従って、現像に係る処理時間は、基板搬送部２２Ｂによるマザーガラス基板１０ＭＧの搬送速度（各搬送ローラ２２Ｂ１の単位時間当たりの回転数）に依存しており、同搬送速度が遅くなるほど処理時間が長くなり、逆に同搬送速度が速くなるほど処理時間が短くなる傾向とされる。
【００２９】
続いて、ＣＦ基板１０Ａの製造方法に含まれる遮光部形成工程及びカラーフィルタ形成工程において用いられる工程管理システムＭＳについて図１０から図１４を用いて説明する。工程管理システムＭＳは、図１０に示すように、塗布装置２０と、塗布制御装置２３と、露光装置２１と、露光制御装置２４と、現像装置２２と、現像制御装置２５と、詳しくは後述する記憶装置２６と、詳しくは後述する抽出処理装置２７と、これら各装置２０〜２７の間を情報通信が可能な状態に接続する情報通信回線２８と、を少なくとも備える。塗布装置２０、露光装置２１及び現像装置２２に関しては、既述した通りである。塗布制御装置２３は、情報通信回線２８を介して塗布装置２０に接続されており、塗布装置２０によるマザーガラス基板１０ＭＧに対するレジスト膜１８，１９の塗布処理（レジスト膜１８，１９の膜厚など）を制御することができる。露光制御装置２４は、情報通信回線２８を介して露光装置２１に接続されており、露光装置２１によるレジスト膜１８，１９に対する露光処理（レジスト膜１８，１９の露光範囲及び非露光範囲など）を制御することができる。現像制御装置２５は、情報通信回線２８を介して現像装置２２に接続されており、現像装置２２によるレジスト膜１８，１９に対する現像処理を制御することができる。より具体的には、現像制御装置２５は、現像装置２２に備わる基板搬送部２２Ｂによるマザーガラス基板１０ＭＧの搬送速度（各搬送ローラ２２Ｂ１の単位時間当たりの回転数）や現像液供給部２２Ｃによる現像液の吐出量などを制御することができる。
【００３０】
記憶装置２６は、図１０に示すように、情報通信回線２８を介して塗布制御装置２３、露光制御装置２４及び現像制御装置２５に接続されており、塗布装置２０、露光装置２１及び現像装置２２による各処理が完了した時刻（塗布完了時刻を含む）などを記憶することができる。記憶装置２６は、上記以外にも、各種処理が行われるマザーガラス基板１０ＭＧのロットナンバー、各種処理の工程番号、各種処理のレシピ番号なども記憶されている。このうちのロットナンバーは、上記した工程番号及びレシピ番号に紐付けられていて、その他にも製造される液晶パネル１０の機種などの情報に紐付けられている。抽出処理装置２７は、情報通信回線２８を介して現像制御装置２５及び記憶装置２６にそれぞれ接続されている。抽出処理装置２７は、例えばＣＰＵやメモリ（記憶部２７Ａ）などを備えるパーソナルコンピュータなどからなる。抽出処理装置２７は、記憶装置２６に記憶されている情報のうち、少なくとも塗布装置２０によるレジスト膜１８，１９の塗布が完了した塗布完了時刻を情報通信回線２８を介して読み出すことで、塗布装置２０によるレジスト膜１８，１９の塗布が行われてから現像装置２２による現像に移行するまでの移行時間を抽出する処理を行う。さらに、抽出処理装置２７は、抽出した移行時間に基づいて現像装置２２による現像に係る処理時間を抽出する処理を行う。なお、現像装置２２による現像が行われる予定の時刻である現像開始時刻は、記憶装置２６に記憶されていてもよい。その場合、抽出処理装置２７は、情報通信回線２８を介して記憶装置２６に記憶されている塗布完了時刻及び現像開始時刻を読み出して移行時間を抽出することになる。それ以外にも、抽出処理装置２７により移行時間を抽出する処理が行われる時刻を現像開始時刻と見なすこともでき、その場合、抽出処理装置２７は、情報通信回線２８を介して記憶装置２６に記憶されている塗布完了時刻を読み出すとともにその時点での時刻を現像開始時刻として移行時間を抽出することになる。
【００３１】
そして、現像制御装置２５は、図１０に示すように、抽出処理装置２７により抽出された処理時間に基づいて現像装置２２による現像を制御する。つまり、ＣＦ基板製造工程に含まれる現像工程では、塗布工程が行われてから当該現像工程に移行するまでの移行時間に基づいて現像に係る処理時間が調整されている。このようにすれば、塗布装置２０によるレジスト膜１８，１９の塗布が行われてから現像装置２２による現像に移行するまでの移行時間が製造上の諸事情に起因してばらついた場合であっても、その移行時間に基づいて抽出処理装置２７により抽出された処理時間でもって現像がなされるよう現像制御装置２５により現像装置２２が制御される。例えば、上記した移行時間が長い場合には、抽出処理装置２７によって長い処理時間が抽出されるので、その長い処理時間でもって現像がなされるよう現像制御装置２５により現像装置２２が制御される。逆に、上記した移行時間が短い場合には、抽出処理装置２７によって短い処理時間が抽出されるので、その短い処理時間でもって現像がなされるよう現像制御装置２５により現像装置２２が制御される。以上により、上記した移行時間が変動した場合でも現像を適切に行うことができる。これにより、レジスト膜１８，１９が適切にパターニングされる。しかも、現像制御装置２５及び抽出処理装置２７が情報通信回線２８により情報通信可能な状態で接続されているので、現像制御装置２５は、抽出処理装置２７により抽出された処理時間を、情報通信回線２８を介して直接的に読み出すことができる。
【００３２】
ここで、図１１から図１３に示される各グラフを用いて本実施形態に係る課題、作用及び効果について詳しく説明する。まず、図１１は、塗布工程が行われてから現像工程に移行するまでの移行時間（横軸）と、現像に必要となる処理時間（縦軸）と、の関係を表すグラフである。図１１によれば、移行時間が長くなるほど現像に必要となる処理時間が長くなり、移行時間が短くなるほど現像に必要となる処理時間が短くなる傾向にある、と言える。ここで、仮に、処理時間をある標準処理時間Ｔ１に固定化した場合、その標準処理時間と図１１に示されるグラフとの交点となる標準移行時間Ｔ２が得られる。次に、図１２は、現像に係る処理時間をある標準処理時間Ｔ１に固定化した場合における移行時間（横軸）と、現像工程後に得られるレジスト膜１８，１９のパターンに係る線幅（縦軸）と、の関係を表すグラフである。ここで、移行時間が標準移行時間Ｔ２の場合におけるレジスト膜１８，１９のパターンに係る線幅を標準線幅Ｗとする。図１２によれば、実際の移行時間が標準移行時間Ｔ２よりも長いにも拘わらず標準処理時間Ｔ１にて現像を行うと、レジスト膜１８，１９のパターンに係る線幅が標準線幅Ｗよりも広くなることが分かる。これは、標準処理時間Ｔ１が現像に必要な処理時間よりも短いため、レジスト膜１８，１９が十分に現像されないことが原因と推考される。図１２によれば、上記とは逆に実際の移行時間が標準移行時間Ｔ２よりも短いにも拘わらず標準処理時間Ｔ１にて現像を行うと、レジスト膜１８，１９のパターンに係る線幅が標準線幅Ｗよりも狭くなることが分かる。これは、標準処理時間Ｔ１が現像に必要な処理時間よりも長いため、レジスト膜１８，１９が過剰に現像されることが原因と推考される。続いて、図１３は、現像に係る処理時間を、実際の移行時間に応じて変化させた場合における移行時間（横軸）と、現像工程後に得られるレジスト膜１８，１９のパターンに係る線幅（縦軸）と、の関係を表すグラフである。図１３によれば、実際の移行時間が標準移行時間Ｔ２よりも長くても短くても、レジスト膜１８，１９のパターンに係る線幅が標準線幅Ｗで一定となることが分かる。これは、変動する移行時間に応じて現像に係る処理時間が現像に必要な処理時間と一致するよう調整されるので、常にレジスト膜１８，１９が適切に現像されるためと推考される。
【００３３】
さらには、抽出処理装置２７は、図１０に示すように、少なくとも塗布完了時刻から現像開始時刻までの移行時間と、現像装置２２に備わる基板搬送部２２Ｂによるマザーガラス基板１０ＭＧの搬送速度（現像に係る処理時間）と、の関係を記したデータテーブルを記憶する記憶部（データテーブル記憶部）２７Ａを有している。従って、抽出処理装置２７は、抽出した移行時間に基づいて記憶部２７Ａに記憶されたデータテーブルを読み込むことで、マザーガラス基板１０ＭＧの搬送速度を抽出することができる。これにより、記憶装置２６に上記したデータテーブルを記憶させる必要がないので、塗布完了時刻などを記憶した既存の記憶装置２６に対して情報通信回線２８を介して抽出処理装置２７を接続すれば済む。既存の工程管理システムＭＳを大幅に改変する必要がなく、低コスト化を図る上で好適となる。
【００３４】
続いて、記憶部２７Ａに記憶されたデータテーブルの具体例について図１４を用いて説明する。図１４は、データテーブルを表す図である。図１４に示されるデータテーブルには、塗布完了時刻から現像開始時刻までの移行時間（単位は「ｈ（時間）」）と、現像装置２２に備わる基板搬送部２２Ｂによるマザーガラス基板１０ＭＧの搬送速度（無単位）と、が記されている。本実施形態では、製造する液晶パネル１０が２種類の機種α，βである場合を例示しており、各機種α，β毎に液晶パネル１０を構成するＣＦ基板１０Ａの仕様も異なっている。ＣＦ基板１０Ａの仕様には、カラーフィルタ１４及び遮光部１５における材料、膜厚及び面積などが含まれており、これらが液晶パネル１０の機種α，βによって異なる場合がある。このうちの「面積」は、液晶パネル１０の精細度（解像度）や画面サイズなどによって変化するものであり、ＣＦ基板製造工程に含まれる露光工程でのレジスト膜１８，１９の露光範囲または非露光範囲が反映されている。なお、カラーフィルタ１４及び遮光部１５における材料、膜厚及び面積は、液晶パネル１０の機種α，βによって全て異なっていても良いが一部のみが異なっていても構わない。図１４には、各機種α，βに関し、遮光部１５（図１４の表記は「遮光部」）の遮光レジスト膜１８を現像する際のマザーガラス基板１０ＭＧの搬送速度（図１４の表記は「Ａ，Ｂ，Ｉ，Ｊ」）が記されている。図１４には、各機種α，βに関し、赤色カラーフィルタ１４Ｒ（図１４の表記は「ＣＦ（Ｒ）」）と、緑色カラーフィルタ１４Ｇ（図１４の表記は「ＣＦ（Ｇ）」）と、青色カラーフィルタ１４Ｂ（図１４の表記は「ＣＦ（Ｂ）」）と、における各カラーレジスト膜１９を現像する際のマザーガラス基板１０ＭＧの搬送速度（図１４の表記は「Ｃ，Ｄ，Ｅ，Ｆ，Ｇ，Ｈ，Ｋ，Ｌ，Ｍ，Ｎ，Ｏ，Ｐ」）が記されている。図１４に記されたマザーガラス基板１０ＭＧの搬送速度には、機種α，βの違いに因るカラーフィルタ１４及び遮光部１５における材料、膜厚及び面積の違いが加味されている、と言える。図１４には、移行時間として、０〜１２時間と、１２〜２４時間と、の２種類が記されている。
【００３５】
図１４に示されるデータテーブルを用いた具体的な処理について説明する。ＣＦ基板製造工程に含まれる現像工程では、抽出処理装置２７は、図１０に示すように、情報通信回線２８を介して記憶装置２６から少なくとも塗布完了時刻を読み出し、塗布完了時刻から現像開始時刻までの移行時間を抽出する。それとともに抽出処理装置２７は、情報通信回線２８を介して記憶装置２６からロットナンバーに紐付けられた機種α，βや処理対象のレジスト膜１８，１９に関する情報などを読み出し、機種α，β及び処理対象のレジスト膜１８，１９を特定する。そして、抽出処理装置２７は、移行時間、機種α，β及び処理対象のレジスト膜１８，１９の各情報に基づいて図１４のデータテーブルを参照し、マザーガラス基板１０ＭＧの搬送速度を抽出する。例えば、移行時間が１０時間、機種α、処理対象が赤色カラーフィルタ１４Ｒのカラーレジスト膜１９であれば、マザーガラス基板１０ＭＧの搬送速度は「Ｃ」となる。また、移行時間が１４時間、機種β、処理対象が遮光部１５の遮光レジスト膜１８であれば、マザーガラス基板１０ＭＧの搬送速度は「Ｊ」となる。このようにしてマザーガラス基板１０ＭＧの搬送速度が抽出されたら、現像制御装置２５は、情報通信回線２８を介して抽出処理装置２７からマザーガラス基板１０ＭＧの搬送速度に係る情報を取得し、その搬送速度に係る情報に基づいて現像装置２２の基板搬送部２２Ｂを制御する。これにより、塗布完了時刻から現像開始時刻までの移行時間に加えてレジスト膜１８，１９の材料、膜厚、面積が加味された搬送速度でもってマザーガラス基板１０ＭＧを搬送することができるので、現像に係る処理時間が適切なものとなる。
【００３６】
以上説明したように本実施形態のＣＦ基板（レジスト膜形成基板）１０Ａの製造方法は、マザーガラス基板（基板）１０ＭＧ上にレジスト膜１８，１９を塗布する塗布工程と、塗布工程にて塗布されたレジスト膜１８，１９を選択的に露光する露光工程と、露光工程にて選択的に露光されたレジスト膜１８，１９を現像する現像工程であって、塗布工程が行われてから当該現像工程に移行するまでの移行時間に基づいて現像に係る処理時間を調整する現像工程と、を備える。
【００３７】
まず、塗布工程では、マザーガラス基板１０ＭＧ上にレジスト膜１８，１９が塗布される。露光工程では、塗布工程にてマザーガラス基板１０ＭＧ上に塗布されたレジスト膜１８，１９が選択的に露光される。これにより、レジスト膜１８，１９には露光箇所と非露光箇所とが生じる。現像工程では、露光工程にて選択的に露光されたレジスト膜１８，１９が現像される。これにより、レジスト膜１８，１９における露光箇所と非露光箇所とのうちの一方が除去されて他方が残存することで、所定のパターンが形成される。ところで、塗布工程が行われてから現像工程に移行するまでの移行時間は、製造上の諸事情に起因してばらつく場合があり、その移行時間が長くなるほど現像工程での現像に必要となる処理時間は長くなる傾向にある。その点、現像工程では、塗布工程が行われてから現像工程に移行するまでの移行時間に基づいて現像に係る処理時間を調整するようにしているから、上記した移行時間が変動した場合でも現像を適切に行うことができる。これにより、レジスト膜１８，１９が適切にパターニングされる。
【００３８】
また、現像工程では、移行時間に加えてレジスト膜１８，１９の材料を加味して処理時間を調整する。現像工程で必要となる現像に係る処理時間は、上記し移行た時間以外にも、レジスト膜１８，１９の材料によっても変動し得る。その点、現像工程では、移行時間に加えてレジスト膜１８，１９の材料を加味して処理時間を調整しているので、使用されるレジスト膜１８，１９の材料に適した現像がなされる。これにより、レジスト膜１８，１９がより適切にパターニングされる。
【００３９】
また、現像工程では、移行時間に加えてレジスト膜１８，１９の膜厚を加味して処理時間を調整する。現像工程で必要となる現像に係る処理時間は、上記した移行時間以外にも、レジスト膜１８，１９の膜厚によっても変動し得る。その点、現像工程では、移行時間に加えてレジスト膜１８，１９の膜厚を加味して処理時間を調整しているので、使用されるレジスト膜１８，１９の膜厚に適した現像がなされる。これにより、レジスト膜１８，１９がより適切にパターニングされる。
【００４０】
また、現像工程では、移行時間に加えて露光工程でのレジスト膜１８，１９の露光範囲または非露光範囲を加味して処理時間を調整する。露光工程でのレジスト膜１８，１９の露光範囲または非露光範囲は、現像工程を経てマザーガラス基板１０ＭＧに残存するレジスト膜１８，１９のパターンの面積を反映している。現像工程で必要となる現像に係る処理時間は、上記した移行時間以外にも、レジスト膜１８，１９のパターンの面積によっても変動し得る。その点、現像工程では、移行時間に加えて露光工程でのレジスト膜１８，１９の露光範囲または非露光範囲を加味して処理時間を調整しているので、マザーガラス基板１０ＭＧに残存するレジスト膜１８，１９のパターンの面積に適した現像がなされる。これにより、レジスト膜１８，１９がより適切にパターニングされる。
【００４１】
また、現像工程では、マザーガラス基板１０ＭＧを搬送しつつマザーガラス基板１０ＭＧ上に現像液を供給するようにしていて、マザーガラス基板１０ＭＧの搬送速度を制御することで処理時間を調整する。このようにすれば、現像工程では、所定の搬送速度で搬送されるマザーガラス基板１０ＭＧ上に現像液が供給されることで、効率的に現像がなされる。このとき、マザーガラス基板１０ＭＧの搬送速度が遅くなるほど現像に係る処理時間が長くなり、マザーガラス基板１０ＭＧの搬送速度が速くなるほど現像に係る処理時間が短くなるので、マザーガラス基板１０ＭＧの搬送速度を制御することで、現像に係る処理時間を適切に調整することができる。
【００４２】
また、塗布工程では、レジスト膜１８，１９としてカラーレジスト膜１９または遮光レジスト膜１８を塗布する。このようにすれば、レジスト膜１８，１９であるカラーレジスト膜１９または遮光レジスト膜１８が適切にパターニングされる。
【００４３】
また、本実施形態のＣＦ基板１０Ａの製造に係る工程管理システムＭＳは、マザーガラス基板１０ＭＧ上にレジスト膜１８，１９を塗布する塗布装置２０と、レジスト膜１８，１９を選択的に露光する露光装置２１と、レジスト膜１８，１９を現像する現像装置２２と、塗布装置２０によるレジスト膜１８，１９の塗布が完了した塗布完了時刻を少なくとも記憶する記憶装置２６と、記憶装置２６に記憶されている塗布完了時刻を読み出すことで塗布装置２０によるレジスト膜１８，１９の塗布が行われてから現像装置２２による現像に移行するまでの移行時間を抽出し、抽出した移行時間に基づいて現像装置２２による現像に係る処理時間を抽出する処理を行う抽出処理装置２７と、抽出処理装置２７により抽出された処理時間に基づいて現像装置２２による現像を制御する現像制御装置２５と、少なくとも塗布装置２０、抽出処理装置２７及び現像制御装置２５を記憶装置２６に対して情報通信が可能な状態に接続する情報通信回線２８と、を備えるＣＦ基板１０Ａの製造に係る工程管理システム。
【００４４】
まず、塗布装置２０によりマザーガラス基板１０ＭＧ上にレジスト膜１８，１９が塗布される。マザーガラス基板１０ＭＧ上に塗布されたレジスト膜１８，１９が露光装置２１により選択的に露光されると、レジスト膜１８，１９には露光箇所と非露光箇所とが生じる。選択的に露光されたレジスト膜１８，１９が現像装置２２により現像されると、レジスト膜１８，１９における露光箇所と非露光箇所とのうちの一方が除去されて他方が残存することで、所定のパターンが形成される。現像装置２２は、現像制御装置２５により現像の制御がなされる。記憶装置２６には、少なくとも塗布装置２０によるレジスト膜１８，１９の塗布が完了した塗布完了時刻が情報通信回線２８を介して情報通信されるとともにその情報が記憶される。
【００４５】
ところで、塗布装置２０によるレジスト膜１８，１９の塗布が行われてから現像装置２２による現像に移行するまでの移行時間は、製造上の諸事情に起因してばらつく場合があり、その移行時間が長くなるほど現像装置２２による現像に必要となる処理時間は長くなる傾向にある。そこで、抽出処理装置２７は、記憶装置２６に記憶されている塗布完了時刻を、情報通信回線２８を介して読み出し、読み出した塗布完了時刻に基づいて塗布装置２０によるレジスト膜１８，１９の塗布が行われてから現像装置２２による現像に移行するまでの移行時間を抽出する。それから抽出処理装置２７は、抽出した移行時間に基づいて現像装置２２による現像に係る処理時間を抽出する処理を行う。そして、現像制御装置２５は、抽出処理装置２７により抽出された処理時間を、情報通信回線２８を介して読み出し、読み出した処理時間に基づいて現像装置２２による現像を制御するので、上記した移行時間が変動した場合でも現像を適切に行うことができる。これにより、レジスト膜１８，１９が適切にパターニングされる。
【００４６】
また、抽出処理装置２７は、少なくとも移行時間と処理時間との関係を記したデータテーブルを記憶する記憶部（データテーブル記憶部）２７Ａを有していて、記憶装置２６から塗布完了時刻を読み出すことで抽出した移行時間に基づいて記憶部２７Ａに記憶されたデータテーブルから処理時間を抽出する。このようにすれば、抽出処理装置２７は、記憶装置２６から情報通信回線２８を介して読み出した塗布完了時刻に基づいて移行時間を抽出するものの、処理時間の抽出は自身が有する記憶部２７Ａに記憶されたデータテーブルを読み込んで行っている。従って、記憶装置２６には、データテーブルを記憶させる必要がないので、既存の記憶装置２６に対して情報通信回線２８を介して抽出処理装置２７を接続すればよい。これにより、既存の工程管理システムＭＳを大幅に改変する必要がないので、低コスト化を図る上で好適となる。
【００４７】
また、情報通信回線２８は、現像制御装置２５を抽出処理装置２７に対して情報通信が可能な状態に接続する。仮に、現像制御装置２５と抽出処理装置２７とが情報通信回線２８により直接接続されない場合は、抽出処理装置２７により抽出された処理時間を記憶装置２６に記憶させるよう記憶装置２６の改変を要する。これに比べると、現像制御装置２５は、抽出処理装置２７により抽出された処理時間を、情報通信回線２８を介して直接的に読み出すことができるので、記憶装置２６については改変が不要となる。
【００４８】
また、現像装置２２は、マザーガラス基板１０ＭＧを搬送する基板搬送部２２Ｂと、基板搬送部２２Ｂにより搬送されるマザーガラス基板１０ＭＧに現像液を供給する現像液供給部２２Ｃと、を少なくとも有しており、現像制御装置２５は、基板搬送部２２Ｂによるマザーガラス基板１０ＭＧの搬送速度を制御することで処理時間を調整する。このようにすれば、現像装置２２は、基板搬送部２２Ｂによりマザーガラス基板１０ＭＧを所定の搬送速度で搬送しつつ、現像液供給部２２Ｃによりマザーガラス基板１０ＭＧ上に現像液を供給することで、効率的に現像を行うことができる。このとき、基板搬送部２２Ｂによるマザーガラス基板１０ＭＧの搬送速度が遅くなるほど現像に係る処理時間が長くなり、基板搬送部２２Ｂによるマザーガラス基板１０ＭＧの搬送速度が速くなるほど現像に係る処理時間が短くなるので、現像制御装置２５は、基板搬送部２２Ｂによるマザーガラス基板１０ＭＧの搬送速度を制御することで、現像に係る処理時間を適切に調整することができる。
【００４９】
＜他の実施形態＞
本発明は上記記述及び図面によって説明した実施形態に限定されるものではなく、例えば次のような実施形態も本発明の技術的範囲に含まれる。
【００５０】
（１）上記した実施形態では、製造される液晶パネルの機種が２種類とされる場合のデータテーブルを例示したが、製造される液晶パネルの機種が３種類以上であっても構わない。
【００５１】
（２）上記した実施形態では、塗布工程が行われてから現像工程に移行するまでの移行時間についての区分を「０〜１２時間」と「１２〜２４時間」との２種類とした場合のデータテーブルを例示したが、上記した移行時間についての区分を３種類以上とすることも可能である。具体的には、例えば、「０〜８時間」と「８〜１６時間」と「１６〜２４時間」との３種類としたり、「０〜６時間」と「６〜１２時間」と「１２〜１８時間」と「１８〜２４時間」との４種類としたり、「０〜４時間」と「４〜８時間」と「８〜１２時間」と「１２〜１６時間」と「１６〜２０時間」と「２０〜２４時間」との６種類としたり、「０〜３時間」と「３〜６時間」と「６〜９時間」と「９〜１２時間」と「１２〜１５時間」と「１５〜１８時間」と「１８〜２１時間」と「２１〜２４時間」との８種類としたりすることができる。これら以外にも、具体的な移行時間の区分は適宜に変更可能である。また、移行時間の最大値は、２４時間以上または２４時間以下に設定することも可能である。
【００５２】
（３）上記した実施形態では、搬送速度がデータテーブルに記された場合を示したが、現像に係る処理時間がデータテーブルに記されていても構わない。その場合は、現像制御装置は、抽出処理装置の記憶部から読み出した現像に係る処理時間に基づいてマザーガラス基板の搬送速度を算出し、その搬送速度に基づいてマザーガラス基板を搬送するよう現像装置を制御すればよい。
【００５３】
（４）上記した実施形態では、抽出処理装置に備わる記憶部にデータテーブルが記憶される構成を示したが、データテーブルを記憶装置に記憶させるようにしても構わない。
【００５４】
（５）上記した実施形態では、ＣＦ基板に備わる感光性材料からなるレジスト膜に係る塗布工程、露光工程及び現像工程を含む製造方法について示したが、ＣＦ基板が非感光性材料（金属材料、透明電極材料、非感光性樹脂材料など）からなる膜を備え、その膜をエッチングする際にエッチングの対象となる膜に対して積層されるレジスト膜の塗布工程、露光工程及び現像工程を行うにあたって、塗布工程が行われてから現像工程に移行するまでの移行時間に基づいて現像に係る処理時間を調整するようにしても構わない。
【００５５】
（６）上記した実施形態では、ＣＦ基板の製造方法及びＣＦ基板の製造に係る工程管理システムについて示したが、アレイ基板の製造方法及びアレイ基板の製造に係る工程管理システムについても同様に適用可能である。例えば、アレイ基板に備わる各種膜にもレジスト膜が含まれる場合があり、そのレジスト膜の塗布工程、露光工程及び現像工程を行うにあたって、塗布工程が行われてから現像工程に移行するまでの移行時間に基づいて現像に係る処理時間を調整するようにしても構わない。また、アレイ基板に備わり非感光性材料（金属材料、透明電極材料、非感光性樹脂材料など）からなる膜をエッチングする際にエッチングの対象となる膜に対して積層されるレジスト膜の塗布工程、露光工程及び現像工程を行うにあたって、塗布工程が行われてから現像工程に移行するまでの移行時間に基づいて現像に係る処理時間を調整するようにしても構わない。
【００５６】
（７）上記した実施形態では、現像装置としてマザーガラス基板を基板搬送部により搬送しつつ現像液供給部により現像液を供給することで現像を行う構成のものを示したが、それ以外にも例えば現像装置内にて静止状態のマザーガラス基板上に現像液供給部により現像液を供給することで現像を行う構成であっても構わない。その場合は、現像液供給部により現像液を供給する時間が、現像に係る処理時間となる。
【００５７】
（８）上記した実施形態では、レジスト膜の材料がネガ型の感光性材料とされる場合を示したが、レジスト膜の材料としてポジ型の感光性材料を用いることも可能である。その場合は、現像工程が行われる際には、レジスト膜のうちの露光箇所がマザーガラス基板上から除去され、非露光箇所がマザーガラス基板上に残存することになる。
【００５８】
（９）上記した実施形態では、現像制御装置と抽出処理装置とが情報通信回線により直接接続される構成を示したが、現像制御装置と抽出処理装置とが直接的には非接続とされる構成であっても構わない。その場合は、抽出処理装置により抽出された処理時間を記憶装置に記憶させるようにし、現像制御装置は、記憶装置に記憶された処理時間を読み出すことで、その処理時間でもって現像がなされるよう現像装置を制御することになる。
【００５９】
（１０）上記した実施形態では、カラーフィルタの色数が３つとされる場合を示したが、それ以外にもカラーフィルタの具体的な色数は適宜に変更可能である。
【００６０】
（１１）上記した実施形態以外にも、ＣＦ基板の具体的な構成は適宜に変更可能である。例えば、カラーフィルタ上にオーバーコート膜が積層形成されていても構わない。
【００６１】
（１２）上記した実施形態では、動作モードがＶＡモードとされる液晶パネルを構成するＣＦ基板の製造方法について例示したが、それ以外にもＩＰＳ（In-Plane Switching）モードやＦＦＳ（Fringe Field Switching）モードなどの他の動作モードとされる液晶パネルを構成するＣＦ基板の製造方法についても本発明は適用可能である。
【００６２】
（１３）上記した実施形態では、透過型の液晶パネルについて示したが、反射型の液晶パネルや半透過型の液晶パネルでもよい。
【００６３】
（１４）上記した実施形態では、液晶パネルに備わるＣＦ基板の製造方法を例示したが、他の種類の表示パネル（有機ＥＬパネル、ＰＤＰ（プラズマディスプレイパネル）、ＥＰＤ（マイクロカプセル型電気泳動方式のディスプレイパネル）、ＭＥＭＳ（Micro Electro Mechanical Systems）表示パネルなど）でもよく、そのような表示パネルに備わるレジスト膜形成基板の製造方法にも本発明は適用可能である。
【符号の説明】
【００６４】
１０Ａ…ＣＦ基板（レジスト膜形成基板）、１０ＭＧ…マザーガラス基板（基板）、１８…カラーレジスト膜（レジスト膜）、１９…遮光レジスト膜（レジスト膜）、２０…塗布装置、２１…露光装置、２２…現像装置、２２Ｂ…基板搬送部、２２Ｃ…現像液供給部、２５…現像制御装置、２６…記憶装置、２７…抽出処理装置、２７Ａ…記憶部（データテーブル記憶部）、２８…情報通信回線、ＭＳ…工程管理システム
【図１】
2020021940.tif 000003
【図２】
2020021940.tif 000004
【図３】
2020021940.tif 000005
【図４】
2020021940.tif 000006
【図５】
2020021940.tif 000007
【図６】
2020021940.tif 000008
【図７】
2020021940.tif 000009
【図８】
2020021940.tif 000010
【図９】
2020021940.tif 000011
【図１０】
2020021940.tif 000012
【図１１】
2020021940.tif 000013
【図１２】
2020021940.tif 000014
【図１３】
2020021940.tif 000015
【図１４】
2020021940.tif 000016